(57)【要約】【課題】  設備のセットアップ時等における一次側配管及び二次側配管内への泡水溶液の充満作業の効率を大幅に向上させる。【解決手段】  一次側配管２の途中部に設置される、消火用の泡消火薬剤を貯蔵する泡消火薬剤貯蔵容器６と混合器７とからなる第１の泡消火薬剤混合装置５に加えて、設備のセットアップ時等に一次側配管２及び二次側配管１９内を満たすに足りる量の泡水溶液生成用の泡消火薬剤を貯蔵する泡消火薬剤貯蔵容器１２と混合器１３とからなる第２の泡消火薬剤混合装置１１を並列して設置する。【選択図】  図１
2019097664.tif 000002
【特許請求の範囲】
【請求項１】
貯水槽から送水ポンプを介して上方に立ち上がって配管された一次側配管と、
前記一次側配管の前記送水ポンプより下流側に設置され、該一次側配管内の流水により自動的に消火用水に泡消火薬剤を一定比率で混合して泡水溶液とする、消火用の泡消火薬剤を貯蔵する泡消火薬剤貯蔵容器と混合器とからなる第１の泡消火薬剤混合装置と、
前記一次側配管に、前記第１の泡消火薬剤混合装置と並列して設置し、前記第１の泡消火薬剤混合装置と選択的に使用する、一次側配管及び二次側配管内を満たすに足りる量の泡水溶液生成用の泡消火薬剤を貯蔵する泡消火薬剤貯蔵容器と混合器とからなる第２の泡消火薬剤混合装置と、
前記一次側配管に接続され、泡ヘッドまで配管された二次側配管と、
前記一次側配管と二次側配管との間に設置される流水検知装置とからなることを特徴とする泡消火設備。
【請求項２】
請求項１の泡消火設備において、前記第２の泡消火薬剤混合装置を用いて生成した泡水溶液を前記一次側配管と前記二次側配管に充満するようになした泡消火設備。
【発明の詳細な説明】
【技術分野】
【０００１】
本発明は、消火用水と泡消火薬剤とを混合して放出する泡消火設備に関するものである。
【背景技術】
【０００２】
消火設備として、消火用水と泡消火薬剤とを一定比率で混合した泡水溶液を、配管で接続した端末の泡ヘッドから放出することにより火災を消火する泡消火設備がある。該泡消火設備は、空気と油等の可燃物との接触を泡によって妨げ、これによる窒息作用と泡に含まれる水分による冷却作用によって消火するものである。
【０００３】
図２は従来の泡消火設備の概略的構成を示し、図３は消火用水と泡消火薬剤との混合部分の詳細を示すものである。図２において１００は後記各構成部品からなる泡消火設備である。１０１は消火用水１０２ａを貯溜する貯水槽１０２から送水ポンプ１０３を介して上方に立ち上がって配管された一次側配管である。
【０００４】
１０４は前記一次側配管１０１の前記送水ポンプ１０３より下流側に設置され、該一次側配管１０１内の流水により自動的に消火用水に泡消火薬剤を一定比率で混合して泡水溶液とする泡消火薬剤混合装置である。
【０００５】
また、該泡消火薬剤混合装置１０４は、後記泡消火薬剤を貯蔵する泡消火薬剤貯蔵容器と混合器とからなるものである。１０５は前記泡消火薬剤貯蔵容器であり、鋼製容器１０６内をダイヤフラム１０７によって内室１０５Ａと外室１０５Ｂとに分離し、泡消火薬剤１０５ａを内室１０５Ａに貯蔵している。また、外室１０５Ｂには、一次側配管１０１から分岐した分岐配管１０８が接続され、消火時においては送水ポンプ１０３によって加圧された消火用水１０２ａが所定の圧力で該外室１０５Ｂに流入する。そして、内室１０５Ａに貯蔵された泡消火薬剤１０５ａは、この水の圧力によって押され、一端を後記混合器に接続された泡消火薬剤供給管１０９に所定の流量で流出する。また、１１０は該泡消火薬剤供給管１０９の途中部に設置された流量調整器である。
【０００６】
１１１は前記一次側配管１０１の途中部における前記分岐配管１０８の下流側に接続された前記混合器である。また、該混合器１１１は、一次側配管１０１から送られる消火用水１０２ａと前記泡消火薬剤供給管１０９から供給される泡消火薬剤１０５ａとを所定の割合で混合し、泡水溶液を生成する。
【０００７】
１１２は前記一次側配管１０１の途中部における前記分岐配管１０８の上流側に設置された手動バルブ、１１３は前記一次側配管１０１の途中部における前記混合器１１１の下流側に設置された手動バルブである。１１４は前記一次側配管１０１の途中部における前記送水ポンプ１０３と前記手動バルブ１１２との間に設置された起動用水圧開閉装置である。
【０００８】
１１５は前記一次側配管１０１に接続され、泡水溶液を泡として放出する泡ヘッド１１６まで配管された二次側配管である。１１７は前記一次側配管１０１と前記二次側配管１１５との間に設置される流水検知装置である。１１８は火災検知用ヘッドである。
【０００９】
従来の泡消火設備の構成は、上記の通りである。そして、更に閉鎖型ヘッドの泡消火設備にあっては、火災発生以前に予め一次側配管と二次側配管内を泡水溶液で満たしておき、火災発生時において速やかな消火が行えるようになしたものが実用化されている。
【００１０】
斯かる泡消火設備にあっては、泡消火設備をセットアップする時に、泡水溶液を生成して一次側配管及び二次側配管内に充満させておく必要がある。
【００１１】
ところで、斯かる従来の泡消火設備にあっては、セットアップ時において泡水溶液を一次側配管及び二次側配管内に充満させる作業に手間と時間がかかり過ぎ、作業効率が悪いという問題点がある。尚、泡水溶液を一次側配管及び二次側配管内に充満させる作業は、設備のセットアップ時のみならず、試験、保守、配管破損事故等で配管内に泡水溶液を再充填する際にも必要である。
【００１２】
そして、上記の如く作業効率の悪い原因は、泡消火薬剤貯蔵容器の泡消火薬剤の貯蔵量が法令等によって所定量に制限されていることによるものである。泡消火薬剤貯蔵容器の泡消火薬剤の貯蔵量は、実際の火災発生時における１回分の消火に要する放水量を基に設定されており、そして泡ヘッドと泡消火薬剤貯蔵容器はセットで認定を取得することとされている。したがって、規模の大きな設備（大規模物件）でも同じ組合わせで使用せざるを得ない。
【００１３】
しかし、大規模物件にあっては一次側配管及び二次側配管の長さが増してその配管内容量も大きく（例えば、２０，０００Ｌ）なるため、定められた泡消火薬剤貯蔵容器の泡消火薬剤の量（例えば、４，０００Ｌ／消火薬剤容量は１２０Ｌ、４００Ｌ／分×１０分放射時）では、泡消火設備のセットアップ時等において一次側配管及び二次側配管内を泡水溶液で満たすには不充分である。
【００１４】
そして、泡水溶液は、前記の通り泡消火薬剤貯蔵容器に泡消火薬剤を充填し、一次側配管に送水ポンプをもって流水を発生させることをもって生成するが、泡消火薬剤貯蔵容器が空になると泡水溶液の生成を一旦中止して再度泡消火薬剤を充填し、その後再び泡水溶液を生成させる作業を何度も繰り返す必要があった。加えて、泡消火薬剤貯蔵容器が空になったことは外観からは判別することができないため、配管内の流水量を管理しながらストップウォッチで泡水溶液を生成している時間を測定し、泡消火薬剤貯蔵容器が空になる前に配管内への泡水溶液充満作業を停止することが必要となるなど、多大な手間と時間を要するものである。
【発明の概要】
【発明が解決しようとする課題】
【００１５】
本発明は上記の点に鑑みなされたものであって、一次側配管の途中部に設置される消火用の泡消火薬剤を貯蔵する泡消火薬剤貯蔵容器と混合器とからなる第１の泡消火薬剤混合装置に加えて、設備のセットアップ時等に一次側配管及び二次側配管内を満たすに足りる量の泡水溶液生成用の泡消火薬剤を貯蔵する泡消火薬剤貯蔵容器と混合器とからなる第２の泡消火薬剤混合装置を並列して設置することにより、設備のセットアップ時等における一次側配管及び二次側配管内への泡水溶液の充満作業の効率を大幅に向上させることができるようになした泡消火設備を提供しようとするものである。
【課題を解決するための手段】
【００１６】
而して、本発明の要旨とするところは、
貯水槽から送水ポンプを介して上方に立ち上がって配管された一次側配管と、
前記一次側配管の前記送水ポンプより下流側に設置され、該一次側配管内の流水により自動的に消火用水に泡消火薬剤を一定比率で混合して泡水溶液とする、消火用の泡消火薬剤を貯蔵する泡消火薬剤貯蔵容器と混合器とからなる第１の泡消火薬剤混合装置と、
前記一次側配管に、前記第１の泡消火薬剤混合装置と並列して設置し、前記第１の泡消火薬剤混合装置と選択的に使用する、一次側配管及び二次側配管内を満たすに足りる量の泡水溶液生成用の泡消火薬剤を貯蔵する泡消火薬剤貯蔵容器と混合器とからなる第２の泡消火薬剤混合装置と、
前記一次側配管に接続され、泡ヘッドまで配管された二次側配管と、
前記一次側配管と二次側配管との間に設置される流水検知装置とからなることを特徴とする泡消火設備
にある。
【００１７】
前記の泡消火設備において、前記第２の泡消火薬剤混合装置を用いて生成した泡水溶液を前記一次側配管と前記二次側配管に充満するようになした泡消火設備をも特徴とするものである。
【発明の効果】
【００１８】
本発明は上記の如き構成であり、一次側配管の途中部に設置される消火用の泡消火薬剤を貯蔵する泡消火薬剤貯蔵容器と混合器とからなる第１の泡消火薬剤混合装置に加えて、設備のセットアップ時等に一次側配管及び二次側配管内を満たすに足りる量の泡水溶液生成用の泡消火薬剤を貯蔵する泡消火薬剤貯蔵容器と混合器とからなる第２の泡消火薬剤混合装置を並列して設置するものであるから、設備のセットアップ時等における一次側配管及び二次側配管内への泡水溶液の充満作業の効率を大幅に向上させることができるものである。
【図面の簡単な説明】
【００１９】
【図１】本発明の実施形態に係る泡消火設備の概略的構成図である。
【図２】従来の泡消火設備の概略的構成図である。
【図３】同消火用水と泡消火薬剤との混合部分の詳細説明図である。
【発明を実施するための形態】
【００２０】
以下、本発明を実施するための形態について、図面を参照して説明する。
【００２１】
図中、１は泡消火設備である。２は消火用水３ａを貯溜する貯水槽３から送水ポンプ４を介して上方に立ち上がって配管された一次側配管である。
【００２２】
５は前記一次側配管２の前記送水ポンプ４より下流側に設置され、該一次側配管２内の流水により自動的に消火用水に泡消火薬剤を一定比率で混合して泡水溶液とする、消火用の泡消火薬剤（図示せず。）を貯蔵する泡消火薬剤貯蔵容器６と混合器７とからなる第１の泡消火薬剤混合装置である。また、該消火用の泡消火薬剤は、専ら消火にのみ用いるものであり、その貯蔵量は従来におけるものと同様である。また、該泡消火薬剤貯蔵容器６と混合器７は、前記従来の泡消火設備におけるものと同様の構成であるから、再度の説明は省略する。
【００２３】
８は前記泡消火薬剤貯蔵容器６の外室に接続された前記一次側配管２からの分岐配管である。９は前記一次側配管２の途中部における前記分岐配管８の上流側に設置された手動バルブ、１０は前記一次側配管２の途中部における前記混合器７の下流側に設置された手動バルブである。
【００２４】
１１は前記一次側配管２に、前記第１の泡消火薬剤混合装置５と並列して設置し、前記第１の泡消火薬剤混合装置５と選択的に使用する第２の泡消火薬剤混合装置である。
【００２５】
また、該第２の泡消火薬剤混合装置１１は、設備のセットアップ時等に前記一次側配管２及び後記二次側配管１９内を満たすに足りる量の泡水溶液生成用の泡消火薬剤（図示せず。）を貯蔵する泡消火薬剤貯蔵容器１２と混合器１３とからなるものである。また、該泡消火薬剤は、専ら設備のセットアップ時等に一次側配管２及び二次側配管１９内を満たす泡水溶液を生成することのみに用いるものであり、その量は前記第１の泡消火薬剤混合装置５の泡消火薬剤よりも大量である。１４は前記一次側配管２の途中部における前記手動バルブ９の上流側で分岐した分岐配管であり、該分岐配管１４は更に前記混合器１３の上流側において分岐し、該分岐配管１５は前記泡消火薬剤貯蔵容器１２の外室に接続されている。また、前記分岐配管１４は、前記混合器１３より下流側を、前記一次側配管２の前記手動バルブ１０の下流側に接続されている。
【００２６】
また、１６は前記分岐配管１４の途中部における前記分岐配管１５の上流側に設置された手動バルブ、１７は前記分岐配管１４の途中部における前記混合器１３の下流側に設置された手動バルブである。１８は前記一次側配管２の途中部における前記送水ポンプ４と前記分岐配管１４との間に設置された起動用水圧開閉装置である。
【００２７】
１９は前記一次側配管２に接続され、泡水溶液を泡として放出する泡ヘッド２０まで配管された二次側配管である。２１は前記一次側配管２と前記二次側配管１９との間に設置される流水検知装置である。２２は火災検知ヘッドである。
【００２８】
次に、本実施形態の作用について説明する。
設備のセットアップ時等に一次側配管２及び二次側配管１９内を泡水溶液で満たすときには、手動バルブ９、１０を閉じる一方、手動バルブ１６、１７を開き、同時に流水検知装置２１を開状態として一次側配管２と二次側配管１９とを連通状態とすると共に、送水ポンプ４を作動させるものである。
【００２９】
これにより第２の泡消火薬剤混合装置１１が作動して大量の泡水溶液を生成することになり、したがって、これの１回のみの作動によって一次側配管２及び二次側配管１９内への泡水溶液の充満作業を完了させることができるものである。よって、従来の如く規定量の泡消火薬剤を貯蔵する一つの泡消火薬剤貯蔵容器のみからなる場合における上記の問題点を悉く解消し、設備のセットアップ時等における一次側配管２及び二次側配管１９内への泡水溶液の充満作業の効率を大幅に向上させることができるものである。
【００３０】
そして、このようにして一次側配管２及び二次側配管１９内への泡水溶液の充満作業が完了したら、手動バルブ１６、１７を閉じる一方、手動バルブ９、１０を開き、同時に流水検知装置２１を閉状態として一次側配管２と二次側配管１９とを非連通状態とすると共に、送水ポンプ４の作動を停止するものである。
【００３１】
そして、その後実際に火災が発生したときには、従来の泡消火設備と同様に、第１の泡消火薬剤混合装置５によって一次側配管２及び二次側配管１９内に消火用の泡水溶液が供給されるものである。
【００３２】
本実施形態は上記の如き構成、作用であるから、設備のセットアップ時等における一次側配管２及び二次側配管１９内への泡水溶液の充満作業の効率を大幅に向上させることができるものである。
【符号の説明】
【００３３】
１  泡消火設備
２  一次側配管
３  貯水槽
４  送水ポンプ
５  第１の泡消火薬剤混合装置
６  泡消火薬剤貯蔵容器
７  混合器
８  分岐配管
９、１０  手動バルブ
１１  第２の泡消火薬剤混合装置
１２  泡消火薬剤貯蔵容器
１３  混合器
１４  分岐配管
１５  分岐配管
１６、１７  手動バルブ
１８  起動用水圧開閉装置
１９  二次側配管
２０  泡ヘッド
２１  流水検知装置
２２  火災検知ヘッド
【図１】
2019097664.tif 000003
【図２】
2019097664.tif 000004
【図３】
2019097664.tif 000005